(57)【要約】【課題】縦目地をつけないブロック塀でありながら、隣り合うブロック同士の連結強度が高くなる建築用コンクリートブロックおよび組積み方法を提供する【解決手段】ブロック本体３の表裏両面にフェイスシェル２，２を有する建築用コンクリートブロックであって、ブロック本体３の両端に縦筋挿入用の半円形の空洞６が形成されており、フェイスシェル２，２の端部は、端面における外面寄りの肉部２ａを残して、平面視において斜めに切除された形の隠し目地部７が形成されており空洞６と隠し目地部７とによってモルタル充填部８が形成されている。充填されたモルタルが隣接するブロックのフェイスシェル２，２同士を連結するので、ブロック塀における横方向の連結強度が高くなり、フェイスシェルの端部における外面寄りは肉部として残っているので、ブロック塀として組積みしたとき縦目地として見えることはなく、意匠性を高めることができる。【選択図】図１
2013204353.tif 000002
【特許請求の範囲】
【請求項１】
ブロック本体部の表裏両面にフェイスシェルを有する建築用コンクリートブロックであって、
ブロック本体部の両端に縦筋挿入用の半円形の空洞が形成されており、
前記フェイスシェルの端部は、端面における外面寄りの肉部を残して、平面視において斜めに切除された形状の隠し目地部が形成されており
前記空洞と前記隠し目地部とによってモルタル充填部が形成されている
ことを特徴とする建築用コンクリートブロック。
【請求項２】
前記フェイスシェルの幅方向における一方の端面には、凸条が形成されている
ことを特徴とする請求項１記載の建築用コンクリートブロック。
【請求項３】
前記フェイスシェルの表面には、縦溝が複数本平行に形成されている
ことを特徴とする請求項１または２記載の建築用コンクリートブロック。
【請求項４】
請求項１の建築用コンクリートブロックを上下方向および水平方向に組積みし、前記モルタル充填部に縦筋を通した状態で、モルタルを充填する
ことを特徴とする建築用コンクリートブロックの組積み方法。
【発明の詳細な説明】
【技術分野】
【０００１】
本発明は、建築用コンクリートブロックおよび組積み方法に関する。さらに詳しくは、ブロック塀に縦目地をつけない「突きつけ目地」で施工するのに適した建築用コンクリートブロックと、それを用いた組積み方法に関する。
【背景技術】
【０００２】
図９は従来より数多く施工されている縦目地を入れた建築用コンクリートブロックの施工例を示している。
この公知例が示すように、外壁用のブロック塀は意匠性が求められるため、建築用コンクリートブロックのうちでも化粧ブロックが用いられる。そして、ブロック塀２００は、多数の化粧ブロックが上下に積み重ねられると共に、横方向にも並べられており、縦方向および横方向に隣接する各ブロックの間には縦目地２０１と横目地が付けられている。
【０００３】
しかるに、上記従来例では、縦目地２０１を入れることにより、横方向への連続意匠性が途切れてしまい、すっきりとした外観が得られないという問題がある。
また、塀の施工時に縦目地２０１を入れるための作業工数が多く、作業効率が劣るという問題がある。
【０００４】
そこで、図６に示すような縦目地をつけない「突きつけ目地」で施工される化粧ブロックが用いられるようになった。
このブロック塀１００では、縦目地がなく、ブロック自体の表面に形成された複数本の縦溝が横方向に断続的に連なるので、スッキリした外観が得られる。
このような化粧ブロックを用いたブロック塀１００は、図７に示すように、各ブロック１０１の表面に複数本の縦溝１０２を形成しており、この縦溝１０２が外観上の特徴となるものである。そして、図８の拡大図に示すように、各ブロックの端部には、縦筋１０４を通す半円状の空洞１１０が形成されているが、フェイスシェル１０３の端部は厚肉のままであって、平坦な端面１０５が突き合わされると目地は実質存在しないものとなっている。
このため、ブロック１０１の表面には肉眼では縦目地がはっきりとは現われないので、スッキリした外観が得られる理由となっている。
【０００５】
しかしながら、縦筋挿入用でありモルタル充填用の空洞１１０の体積は小さく、フェイスシェル１０３の端面１０５には空洞１１０が臨んでないので、この空洞１１０内にモルタルを注入しても、フェイスシェル１０３の端面同士は接着させることはできない。また、縦筋部のモルタルかぶり量ｄが小さいので、縦筋との結合強度が弱い。また、大雨等による外部からの水分進入による鉄筋の腐食進行が早く進む。これらの事情から、ブロック塀としての強度は弱く、耐久性も劣るものになってしまう。
【０００６】
特許文献１の従来技術では、隣接するブロックにおけるフェイスシェルの端部同士の間に、小さな切欠き（符号２０）を形成し、これを打ち込み目地と称している。この打込み目地にはモルタルの充填は可能であるものの、この打込み目地の寸法は小さいので、縦筋部のモルタルかぶり量ｄの増加は維持できない。このため、隣り合うブロックの連結強度を高める機能はさほど期待できない。
【先行技術文献】
【特許文献】
【０００７】
【特許文献１】特開２００６−１６９８６２号公報
【発明の概要】
【発明が解決しようとする課題】
【０００８】
本発明は上記事情に鑑み、縦目地をつけないブロック塀でありながら、隣り合うブロック同士の連結強度が高くなる建築用コンクリートブロックおよび組積み方法を提供することを目的とする。
【課題を解決するための手段】
【０００９】
第１発明の化粧ブロックおよび組積み方法は、ブロック本体部の表裏両面にフェイスシェルを有する建築用コンクリートブロックであって、ブロック本体部の両端に縦筋挿入用の半円形の空洞が形成されており、前記フェイスシェルの端部は、端面における外面寄りの肉部を残して、平面視において斜めに切除された形状の隠し目地部が形成されており前記空洞と前記隠し目地部とによってモルタル充填部が形成されていることを特徴とする。
第２発明の化粧ブロックおよび組積み方法は、第１発明において、前記フェイスシェルの幅方向における一方の端面には、凸条が形成されていることを特徴とする。
第３発明の化粧ブロックおよび組積み方法は、第１または第２発明において、前記フェイスシェルの表面には、縦溝が複数本平行に形成されていることを特徴とする。
第４発明の化粧ブロックおよび組積み方法は、請求項１の建築用コンクリートブロックを上下方向および水平方向に組積みし、前記モルタル充填部に縦筋を通した状態で、モルタルを充填することを特徴とする。
【発明の効果】
【００１０】
第１発明によれば、モルタル充填部が、ブロック本体部の空洞からフェイスシェルの端部に斜めに形成された隠し目地部に続いていることにより、充填されたモルタルが隣接するブロックのフェイスシェル同士を連結することができるので、ブロック塀における横方向の連結強度が高くなる。また、隠し目地部に入れた縦筋に対するモルタルかぶり量も増大するので、縦方向の結合強度も高くなる。しかも、フェイスシェルの端部における外面寄りは肉部として残っているので、ブロック塀として組積みしたとき縦目地として見えることはなく、ブロック塀の意匠性を高めることができる。
第２発明によれば、建築用コンクリートブロックを横方向に並べたとき、フェイスシェルの一端面の凸条が隣接するフェイスシェルの他端面に当ることで、フェイスシェルの端面同士が直接当らないようにでき、フェイスシェルを欠落等から保護できる。
第３発明によれば、フェイスシェルの縦溝が並行に並ぶことで、ブロック塀に縦方向の線模様を付けることができ、ブロック塀の外観的意匠性を向上できる。しかも、縦溝の横幅をフェイスシェル端面の凸条の幅に対しデザイン的に調和する大きさとしておけば、凸条も含めたブロック塀の外観デザインを形成できる。
第４発明によれば、モルタル充填部に注入されたモルタルは、隠し目地部にも入って硬化するので隣接する建築用コンクリートブロックのフェイスシェル同士をモルタルで結合できるので、横方向の結合強度が高くなる。また、隠し目地部に入れた縦筋に対するモルタルかぶり量も増大するので、縦方向の結合強度も高くなる。このため、倒壊しにくいブロック塀が得られる。
【図面の簡単な説明】
【００１１】
【図１】本発明の一実施形態に係る建築用コンクリートブロックの平面図および部分拡大図である。
【図２】図１のII-II線拡大断面図である。
【図３】図１の建築用コンクリートブロックの図であって、（Ａ）は平面図、（Ｂ）は一部断面側面図である。
【図４】図１の建築用コンクリートブロックの図であって、（Ｃ）は一部断面正面図、（Ｄ）は底面図である。
【図５】本発明の一実施形態に係る建築用コンクリートブロックを用いて構築したブロック塀の図であって、（Ａ）は平面図、（Ｂ）は正面図である。
【図６】従来の突きつけ目地ブロック塀の説明図である。
【図７】従来の突きつけ目地ブロックの説明図であって、（Ａ）は平面図、（Ｂ）は正面図である。
【図８】従来の突きつけ目地ブロックの拡大平面図である。
【図９】従来の縦目地入りブロック塀の説明図である。
【発明を実施するための形態】
【００１２】
つぎに、本発明の実施形態を図面に基づき説明する。
（建築用コンクリートブロック）
本発明にいう建築用コンクリートブロックには、空洞コンクリートブロックや化粧コンクリートブロック、型枠コンクリートブロックが含まれる。
また、ＪＩＳ  Ａ５４０６に定める基本形ブロックの外、基本形横筋ブロック、基本形（片えぐり形）ブロック、基本形（両えぐり形）ブロックが含まれる。要するに、縦筋（縦方向の鉄筋をいう）を入れて強度を持たせるブロック塀の構築に用いられる建築用コンクリートブロックの全てに本発明を適用することができる。
【００１３】
以下の実施形態は、いわゆる化粧ブロックに適用したものであり、図５は組積み施工したブロック塀のうち化粧ブロック１の３列３段分を示している。図３および図４は図５に示す１個の化粧ブロック１を示すものである。
【００１４】
この化粧ブロック１の基本構造は、表裏両面のフェイスシェル２、２をブロック本体３で連結したものである。ブロック本体部３はウエブ４と連結部５からなる。図示の実施形態では、ウエブ４は４本であるが、その本数は任意である。隣接するウエブ４，４の間の上方部分において連結部５でつながれており、連結部の下方部分は底の抜けた空洞となっている。
本発明において、ブロック本体３の形やウエブ４本数は任意であり、どのような形状のものも、フェイスシェル２を連結するものである限り、本発明に含まれる。素材は通常のコンクリートでロックと同様にコンクリートである。
【００１５】
本実施形態の化粧ブロック１の構造的特徴部分はブロックの両端部にある。
すなわち、ブロック本体３の両端に縦筋挿入用の半円形の空洞６が形成されている。さらにフェイスシェル２，２の端部には、隠し目地部７が形成されている。隠し目地部７は、フェイスシェル２の端面における外面寄りの肉部２ａを残して、平面視において斜めに切除された結果、得られる三角形の隠し目地部７が形成されている。図面中に隠し目地部７として示す点線は、隠し目地部の外延を示す仮想の線である。また、斜めの切断部分２ｂは空洞６に続く形状であり、空洞６の表面と表裏両面の切断部分２ｂが形作る線は、平面視でみると概ね大きな円弧を形作っている。このような空洞６と隠し目地部７とによってモルタル充填部８が形成されている。
【００１６】
図３（Ａ）および図４（Ｄ）に示すように、前記フェイスシェル２，２の幅方向における一方の端面（図中右側）には、縦方向の凸条９が形成されている。凸条９の高さや幅は、小さいもので、高さ２ｍｍ、幅５ｍｍ位である。
この凸条９は、建築用コンクリートブロック７を横方向に並べたとき、隣接するフェイスシェルの他端面（凸条の無い方の平坦な端面）に当ることで、フェイスシェル２，２の端面同士が直接当らないようにすることができる。このため、凸条９を設けておくと、フェイスシェル２，２を欠落等から保護できる。
【００１７】
図３（Ａ）および図４（Ｄ）に示すように、前記フェイスシェル２，２の表面には、縦溝１１が複数本平行に形成されている。この縦溝１１の深さや幅、また隣接する縦溝１１間の間隔は任意であり、大きくしてもよく小さくしてもよい。
図５（Ａ）、（Ｂ）に示すように、本実施形態の化粧ブロック１，１が横方向に並べられて組積みされると、フェイスシェル２，２の縦溝１１，１１が並行に並ぶので、ブロック塀に縦方向の線模様を付けることができ、ブロック塀の外観的意匠性を向上できる。しかも、縦溝１１の幅や横方向間隔をフェイスシェル端面の凸条９の高さに対しデザイン的に調和する大きさとしておけば、凸条９も含めたブロック塀の外観デザインを形成できる。
【００１８】
（建築用コンクリートブロックの組積み方法）
本実施形態の建築用コンクリートブロックの施工は、図５に示すように、上下方向および水平方向に組積みし、横筋２１（横方向の鉄筋）を上下ブロック間の空洞に掛け渡し、空洞６内に縦筋２２（縦方向の鉄筋）を挿入し、互いに針金等で結束する。
ついで、図１に示すように、モルタル充填部８にモルタルを充填する。
【００１９】
本実施形態の化粧ブロックおよび組積み方法によれば、モルタル充填部８が、ブロック本体部３の空洞６からフェイスシェル２の端部に斜めに形成された隠し目地部７に続いていることにより、充填されたモルタルＭが隣接するブロックのフェイスシェル２，２同士を連結することができる。このため、ブロック塀における横方向の連結強度が高くなる。しかも、フェイスシェル２，２の端部における外面寄りは肉部２ａ，２ａとして残っているので、ブロック塀として組積みしたとき縦目地として見えることはなく、ブロック塀の意匠性を高めることができる。
【００２０】
また、図１および図２に示すように、モルタル充填部８における横筋２１のモルタルかぶり量Ｄ１も縦筋２２のモルタルかぶり量Ｄ２も、隠し目地部７の外端（フェイスシェル２の肉部２ａの内端）までの寸法を確保できるので、従来のモルタルかぶり量ｄ（図８参照）に比べ、２倍から３倍の大きさとなる。このため横筋２１および縦筋２２に対する結合強度も高くなりブロック塀の横方向および縦方向の結合強度も高くなる。
【００２１】
さらに、ブロック１、１間の目地から大雨等による水分が進入しても、モルタルが充填部８によるモルタルにより止水され、仮にモルタルを通じて水分が内部に進入したとしても、前述したとおり横筋２１や縦筋２２に至る距離、つまりかぶり量Ｄ１、Ｄ２の寸法が大きいので、鉄筋が腐食する可能性は小さくなる。このため、鉄筋の劣化が遅くなるので、ブロック塀の耐久性が向上する。
【符号の説明】
【００２２】
１  化粧ブロック
２  フェイスシェル
３  ブロック本体
４  ウエブ
５  連結部
６  空洞
７  隠し目地部
８  モルタル充填部
９  凸条
２１  横筋
２２  縦筋
【図１】
2013204353.tif 000003
【図２】
2013204353.tif 000004
【図３】
2013204353.tif 000005
【図４】
2013204353.tif 000006
【図５】
2013204353.tif 000007
【図７】
2013204353.tif 000008
【図８】
2013204353.tif 000009
【図６】
2013204353.tif 000010
【図９】
2013204353.tif 000011